(57)【要約】【課題】太陽光発電発電や風力発電を演出機能または防犯機能を兼用して使用する際、天候の悪いときに太陽光発電発電や風力発電から蓄電池に十分な容量が確保されていないこともあり得る。そのときに、それらの関連性のないそれぞれの機能の確保に際し、演出機能の使用過多によりいざ侵入者があった場合に防犯機能が蓄電池容量不足で働かなかったり、または逆に防犯機能を使いすぎて演出機能が使用できないという課題がある。【解決手段】そこで本発明は、このような従来の課題を解決するものであり、演出機能と防犯機能の両立を図り天候が悪いときでも最低限の機能を確保できる独立電源装置を提供することを目的としている。【選択図】図１
2005322207.tif 000002
【特許請求の範囲】
【請求項１】
太陽光または自然風の自然エネルギーを太陽光発電または風力発電により発電する電力を蓄電する蓄電池と、屋外の照度を検出する照度センサと、人体を検出する人感センサとを有し、前記照度センサで屋外が暗くなったことを検知して光または音もしくはこれらの組み合わせを演出する演出機能手段と、前記人感センサで検知すると侵入者であると判断し、光、音もしくは撮像またはこれらを組み合わせて侵入を防ぐ防犯機能手段とを備えた独立電源装置であって、前記演出機能手段および前記防犯機能手段の使用時間または使用回数を制限する保有蓄電池容量の放電時間制限手段を有することを特徴とする独立電源装置。
【請求項２】
予め設定された演出機能および防犯機能の中から必要とするスペックを選択する選択手段を有することを特徴とする請求項１記載の独立電源装置。
【請求項３】
演出機能手段は、屋外が暗くなった時に前記蓄電池から供給された電力にて点滅する発光素子にて点滅を演出するイルミネーション手段または安らぎの音楽を流すメロディー手段を有することを特徴とする請求項１または請求項２記載の独立電源装置。
【請求項４】
防犯機能手段は、前記人感センサで人体を感知した時には、前記発光素子を一定時間点滅するフラッシュ照明手段を有することを特徴とする請求項１または請求項２記載の独立電源装置。
【請求項５】
防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段有することを特徴とする請求項１記載の独立電源装置。
【請求項６】
防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段と、その後に前記人感センサで人体を感知した時には、前記人感センサで捕らえた人体をフラッシュ撮影する撮影手段とを有することを特徴とする請求項１または請求項２記載の独立電源装置。
【請求項７】
防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段と、その後に前記人感センサで人体を感知した時には、前記人感センサで捕らえた人体をフラッシュ撮影する撮影手段と、その後に前記人感センサで人体を感知した時には、音声を発する警報手段を有することを特徴とする請求項１または請求項２記載の独立電源装置。
【請求項８】
演出機能手段の使用時間または使用回数の制限は、前記蓄電池の容量の１／１０以下となる設定にすることを特徴とする請求項１から請求項７のいずれかに記載の独立電源装置。
【請求項９】
防犯機能手段の使用時間および使用回数が設定値以下になった場合、演出機能手段の使用時間および使用回数を停止し、かつ防犯機能手段の使用時間または使用回数のリセットをおこない防犯機能手段の運転をおこなうことを特徴とする請求項１から請求項８のいずれかに記載の独立電源装置。
【請求項１０】
電圧センサで検知した蓄電池の電圧が、所定電圧以下になった場合、演出機能手段および防犯機能手段の使用時間および使用回数を停止し、かつ異常表示することを特徴とする請求項１から請求項８のいずれかに記載の独立電源装置。
【請求項１１】
太陽光または自然風の自然エネルギーを太陽電池または風車により発電する電力を蓄電する蓄電池と、屋外の照度を検出する照度センサと、人体を検出する人感センサとを有し、前記照度センサで屋外が暗くなったことを検知して光および音で安らぎの演出をする演出機能手段と、前記人体センサで侵入者を検知して防犯者への対応をする防犯機能手段と、前記演出機能手段および前記防犯機能手段の使用時間または使用回数を制限する蓄電池の放電時間制限手段を有する独立電源装置であって、演出機能手段および防犯機能手段への使用時間または使用回数のパターンを複数個設けた選択手段を備え、前記選択手段に複数有したパターンの切り替えをリモコンでおこない、前記選択手段がリモコンの信号を検知した後に、選択パターンの種類に応じた点滅表示をさせることを特徴とする独立電源装置。
【発明の詳細な説明】
【技術分野】
【０００１】
本発明は、太陽光または風力の自然エネルギーを利用して発電した電力を蓄電する独立電源装置において、発光素子、音およびカメラ等による演出機能と防犯機能を備えたものである。
【背景技術】
【０００２】
従来、多数の発光ダイオードの特定の発光ダイオードへの通電量を時間経過とともに変更することによって、ローソクの炎に近似するゆらぎ現象を表現することができ、特に神社等に設置される灯龍において最適な照明装置として用いることができることが示され、この演出用照明装置は商用電源によるが、太陽光発電および風力発電等の電源であってもよい等の記載がされている（例えば、特許文献１参照）。特許文献１の図２および図４では、ローソクの演出用照明装置および演出用照明装置の駆動制御方法が示されている。
【０００３】
また、一般市民の防犯および防災意識の高まりによるセキュリティー装置として、人および動物の存在を検知してその存在を認識して警報を発する監視装置が示されている（例えば、特許文献２参照）。特許文献２の図１および図５では、被写体を検知すると音声発生手段および発光ダイオードで知らせて防犯を図り、かつ商用電源でなく太陽光発電等の自然エネルギーを使用するため、電源配線を必要としないことから容易に配設場所および配設時期を変更できることも示されているが、防犯等の監視を目的としたものである。
【０００４】
また、自然エネルギーを電源装置として、演出用照明装置およびセキュリティー装置を併用して使用し、そこで使用する電力と自然エネルギーからの蓄電池容量の関係についての記載は見られていない。
【特許文献１】特開２００１−１３８４５２号公報
【特許文献２】特開平９−５２８７０号公報
【発明の開示】
【発明が解決しようとする課題】
【０００５】
現在、自然エネルギーである太陽光発電発電や風力発電をくらしに役立つ電力として省エネ、安全・安心、健康・快適に利用するに際し、従来の独立電源装置では、演出機能または防犯機能等はそれぞれ単独および関連のある範囲において利用されているが、人の快適性およびメンタルなヘルスケアとしての健康性に対する演出機能に対し、セキュリティーの防犯機能という従来関連性のないものを兼用したものは見られていない。
【０００６】
そこで、それらを兼用して使用する際、天候の悪いときに太陽光発電発電や風力発電から蓄電池に十分な容量が確保されていないこともあり得る。そのときに、それらの関連性のないそれぞれの機能を満足しようとすると、演出機能の使用過多によりいざ侵入者があった場合に防犯機能が蓄電池容量不足で働かなかったりするという課題がある。
【０００７】
また、通常は、演出機能の持つ蓄電池容量は完全に使用され、防犯機能はあまり使用されず、防犯機能の蓄電池容量は最後まで確保されている。しかし、施設および住宅の庭等へ頻繁に侵入者がある場合は、演出機能と防犯機能の受け持つ容量は決まっているため、防犯機能の受け持つ蓄電池の容量が不足して防犯機能が働かることがある。このような場合、危険のリスクが増えることから、防犯の機能は残しておきたいという要望がある。
【０００８】
そこで本発明は、このような従来の課題を解決するものであり、演出機能と防犯機能の両立を図り天候が悪いときでも、つまり天候の変動に左右されずに最低限の機能を確保できる、独立電源装置を提供することを目的としている。
【課題を解決するための手段】
【０００９】
請求項１記載の本発明は、太陽光または自然風の自然エネルギーを太陽光発電または風力発電により発電する電力を蓄電する蓄電池と、屋外の照度を検出する照度センサと、人体を検出する人感センサとを有し、前記照度センサで屋外が暗くなったことを検知して光または音もしくはこれらの組み合わせを演出する演出機能手段と、前記人感センサで検知すると侵入者であると判断し、光、音もしくは撮像またはこれらを組み合わせて侵入を防ぐ防犯機能手段とを備えた独立電源装置であって、前記演出機能手段および前記防犯機能手段の使用時間または使用回数を制限する保有蓄電池容量の放電時間制限手段を有することを特徴とする。
【００１０】
請求項２記載の本発明は請求項１記載の独立電源装置において、予め設定された演出機能および防犯機能の中から必要とするスペックを選択する選択手段を有することを特徴とする。
【００１１】
請求項３記載の本発明は請求項１または請求項２記載の独立電源装置において、演出機能手段は、屋外が暗くなった時に前記蓄電池から供給された電力にて点滅する発光素子にて点滅を演出するイルミネーション手段または安らぎの音楽を流すメロディー手段を有することを特徴とする。
【００１２】
請求項４記載の本発明は請求項１または請求項２記載の独立電源装置において、防犯機能手段は、前記人感センサで人体を感知した時には、前記発光素子を一定時間点滅するフラッシュ照明手段を有することを特徴とする。
【００１３】
請求項５記載の本発明は請求項１の独立電源装置において、防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段有することを特徴とする。
【００１４】
請求項６記載の本発明は請求項１または請求項２記載の独立電源装置において、防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段と、その後に前記人感センサで人体を感知した時には、前記人感センサで捕らえた人体をフラッシュ撮影する撮影手段とを有することを特徴とする。
【００１５】
請求項７記載の本発明は請求項１または請求項２記載の独立電源装置において、防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段と、その後に前記人感センサで人体を感知した時には、前記人感センサで捕らえた人体をフラッシュ撮影する撮影手段と、その後に前記人感センサで人体を感知した時には、音声を発する警報手段を有することを特徴とする。
【００１６】
請求項８記載の本発明は請求項１から請求項７のいずれかに記載の独立電源装置において、演出機能手段の使用時間または使用回数の制限は、前記蓄電池の容量の１／１０以下となる設定にすることを特徴とする。
【００１７】
請求項９記載の本発明は請求項１から請求項７のいずれかに記載の独立電源装置において、防犯機能手段の使用時間および使用回数が設定値以下になった場合、演出機能手段の使用時間および使用回数を停止し、かつ防犯機能手段の使用時間または使用回数のリセットをおこない防犯機能手段の運転をおこなうことを特徴とする。
【００１８】
請求項１０記載の本発明は請求項１から請求項７のいずれかに記載の独立電源装置において、電圧センサで検知した蓄電池の電圧が、所定電圧以下になった場合、演出機能手段および防犯機能手段の使用時間および使用回数を停止し、かつ異常表示することを特徴とする。
【００１９】
請求項１１記載の本発明は請求項１から請求項７のいずれかに記載の独立電源装置において、太陽光または自然風の自然エネルギーを太陽電池または風車により発電する電力を蓄電する蓄電池と、屋外の照度を検出する照度センサと、人体を検出する人感センサとを有し、前記照度センサで屋外が暗くなったことを検知して光および音で安らぎの演出をする演出機能手段と、前記人体センサで侵入者を検知して防犯者への対応をする防犯機能手段と、前記演出機能手段および前記防犯機能手段の使用時間または使用回数を制限する蓄電池の放電時間制限手段を有する独立電源装置であって、演出機能手段および防犯機能手段への使用時間または使用回数のパターンを複数個設けた選択手段を備え、前記選択手段に複数有したパターンの切り替えをリモコンでおこない、前記選択手段がリモコンの信号を検知した後に、選択パターンの種類に応じた点滅表示をさせることを特徴とする。
【発明の効果】
【００２０】
以上の説明から明らかなように本発明によれば、商用電源のない太陽および風力の自然エネルギーから電力を蓄電する独立電源装置を用いて演出機能と防犯機能を提供する中で、前記蓄電池量の量に基づいて前記演出機能と防犯機能の使用配分比を決め、前記演出機能と防犯機能の実施時間および回数を制限する放電時間制限手段を用いることにより、たとえ雨天等によって定常的に自然エネルギーから電力が蓄電できなくなった場合においても、それぞれの最小限の機能を確保することができる最低補償をおこなう独立電源装置を提供できるものである。
【００２１】
また、蓄電池容量に限界がある天候の場合においても、侵入者が多い時には、防犯機能を演出機能よりも優先した使用に切り替えることができることにより、使用者が演出機能を楽しみながら、かつ、安心し、信頼した独立電源装置の使用をおこなうことができるものである。
【発明を実施するための最良の形態】
【００２２】
本発明の第１の実施の形態は、天候と蓄電池容量に左右される有限の太陽光または自然風の自然エネルギーによる独立電源容量に対して、照度センサで屋外が暗くなったことを検知して光または音もしくはこれらの組み合わせを演出する演出機能と、人感センサで検知すると侵入者であると判断し、光、音もしくは撮像またはこれらを組み合わせて侵入を防ぐ防犯機能を確保するのに、保有蓄電池容量に対して、演出機能手段および前記防犯機能手段の使用時間または使用回数を制限する手段を設ける。これにより、たとえ雨天等によって定常的に自然エネルギーから電力が蓄電できなくなった場合においても、それぞれの最小限の機能を確保することができる最低補償をおこなうことができる独立電源装置を提供できる。
【００２３】
本発明の第２の実施の形態は、第１の実施の形態における独立電源装置において、予め設定された演出機能および防犯機能の中から必要とするスペックを選択する選択手段を有し、演出機能手段および前記防犯機能手段の使用時間または使用回数を制限している。
【００２４】
本発明の第３の実施の形態は、第１または第２の実施の形態における独立電源装置において、演出機能手段は、屋外が暗くなった時に前記蓄電池から供給された電力にて点滅する発光素子にて点滅を演出するイルミネーション手段または安らぎの音楽を流すメロディー手段を有する。これにより、安らぎの演出をしている。
【００２５】
本発明の第４の実施の形態は、第１または第２の実施の形態における独立電源装置において、防犯機能手段は、前記人感センサで人体を感知した時には、前記発光素子を一定時間点滅するフラッシュ照明手段を有する。これにより、侵入者を見張り、そして知らせ警告を与え、侵入防止を図っている。
【００２６】
本発明の第５の実施の形態は、第１の実施の形態における独立電源装置において、防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段有する。これにより、侵入者を見張り、そして知らせ警告を与え、それでもなお侵入者が存在する場合は、更なる警告を与え、侵入防止を図っている。
【００２７】
本発明の第６の実施の形態は、第１または第２の実施の形態における独立電源装置において、防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段と、その後に前記人感センサで人体を感知した時には、前記人感センサで捕らえた人体をフラッシュ撮影する撮影手段とを有する。これにより、侵入者を見張り、そして知らせ警告を与え、それでもなお侵入者が存在する場合は、更なる警告を与え、それでもなお侵入者が存在する場合は、フラッシュ撮影で警告および証拠を取り、侵入防止を図っている。
【００２８】
本発明の第７の実施の形態は、第１または第２の実施の形態における独立電源装置において、防犯機能手段は、前記人感センサで人体を感知した時には、前記発光素子を一定時間点滅するフラッシュ照明手段し、その後に前記人感センサで人体を感知した時には、前記発光素子を一定時間点灯する威嚇照明手段と、その後に前記人感センサで人体を感知した時には、前記人感センサで捕らえた人体をフラッシュ撮影する撮影手段と、その後に前記人感センサで人体を感知した時には、音声を発する警報手段を有する。これにより、侵入者を見張り、そして知らせ警告を与え、それでもなお侵入者が存在する場合は、更なる警告を与え、それでもなお侵入者が存在する場合は、フラッシュ撮影で警告および証拠を取り、それでも未だ侵入者が存在する場合は、警報音を発っし、侵入防止を図っている。
【００２９】
本発明の第８の実施の形態は、第１から第７いずれかの実施の形態における独立電源装置において、演出機能手段の使用時間または使用回数の制限は、前記蓄電池の容量の１／１０以下となる設定にする。
【００３０】
本発明の第９の実施の形態は、第１から第７いずれかの実施の形態における独立電源装置において、防犯機能手段の使用時間および使用回数が設定値以下になった場合、演出機能手段の使用時間および使用回数を停止し、かつ防犯機能手段の使用時間または使用回数のリセットをおこない防犯機能手段の運転をおこなうものである。それにより、防犯機能を確保することを前提として、演出機能を付加的におこなうことができる。
【００３１】
本発明の第１０の実施の形態は、第１から第７いずれかの実施の形態における独立電源装置において、電圧センサで検知した蓄電池の電圧が、所定電圧以下になった場合、演出機能手段および防犯機能手段の使用時間および使用回数を停止し、かつ異常表示するものである。それにより、施設および住宅等の人に、蓄電池がなくなったことを知らせることを可能にし、注意を促す役割を果たすことができる。
【００３２】
本発明の第１１の実施の形態は、第１から第７いずれかの実施の形態における独立電源装置において、太陽光または自然風の自然エネルギーを太陽電池または風車により発電する電力を蓄電する蓄電池と、屋外の照度を検出する照度センサと、人体を検出する人感センサとを有し、前記照度センサで屋外が暗くなったことを検知して光および音で安らぎの演出をする演出機能手段と、前記人体センサで侵入者を検知して防犯者への対応をする防犯機能手段と、前記演出機能手段および前記防犯機能手段の使用時間または使用回数を制限する蓄電池の放電時間制限手段を有する独立電源装置であって、演出機能手段および防犯機能手段への使用時間または使用回数のパターンを複数個設けた選択手段を備え、前記選択手段に複数有したパターンの切り替えをリモコンでおこない、前記選択手段がリモコンの信号を検知した後に、選択パターンの種類に応じた点滅表示をさせるものである。それにより、遠隔にて、演出および防犯のパターンを選択し、自己の要望を確認でき、安心した使用をおこなうことができる。
【００３３】
以下、本発明の実施例について図面を参照しながらプランＡからプランＣの３タイプについて説明する。
【実施例】
【００３４】
以下、本発明の一実施例による独立電源装置について図と表１に基づいて説明する。図１は本発明の独立電源装置の一例を示す取り付け構成図、表１は同独立電源装置のプランと蓄電池の電源容量の関係一覧表である。図１に示すように、天空の上から太陽光発電１、風力発電２を配置し、その下部に設けた収納部１１に、その発電エネルギーを蓄電する蓄電池３と、前記収納部１１の上部に前記蓄電池３から供給された電力によって点灯および点滅するイルミネーション効果を演出するイルミネーションＬＥＤ６と、その下部にはフラッシュと威嚇効果をおこなう防犯用ＬＥＤ７と、その下部にはメロディー効果と警報を発するスピーカー８と、その下部に撮影するカメラ９を有し、前記収納部１１の天井面に屋外の照度を検出する照度センサ４と、前記収納部１１の下面に人体を検出する人感センサ５とを有し、それらの信号を取り込んで制御する制御部１０を収納し、それらを保持する取付け具１２にて独立電源装置１３を構成している。
【００３５】
また表１では、前記演出機能および前記防犯機能をおこなうに際し、蓄電容量と各種機能の使用電力量の関係から、プランＡからプランＣまでのスペックを予め設定したものである。ここで、各プランの共通事項について説明する。蓄電池３の容量は、１２Ｖ、１２ＡＨを使用している。蓄電池放電深度が５０％とすると、使用可能な電源容量は１２ＡＨ×０．５＝６ＡＨとなる。そして、天候の不日照が続くのは経験則より最大５日と設定すると、電源容量は６ＡＨ／５日＝１．２ＡＨ／日となり、さらに蓄電池温度補正および保守率を除去すると、１日に使用可能な電源容量は、１ＡＨ／日となる。これから、１日の照度センサ４人感センサ５、および制御部１０の消費電力を除くと、１日の演出機能および防犯機能に用いる電源容量は、０．７８８ＡＨが補償できる容量となる。ゆえに表１のスペック表は、この範囲の中で、プランＡからプランＣの機能と電源容量の配分比を決めたものである。
【００３６】
【表１】
2005322207.tif 000003
【００３７】
（実施例１）
以下に実施例１の説明をおこなう。
【００３８】
図２は同独立電源装置の実施例１によるプランＡのブロック図である。
【００３９】
図２に示すプランＡのブロック図では、人体を人感センサ５の信号で検知し、光、音もしくは撮像またはこれらを組み合わせて侵入者の侵入を防ぐ防犯機能手段２４に伝え、また屋外の照度を照度センサ４で検出し、その信号を光または音もしくはこれらの組み合わせを演出する演出機能手段２３および前記防犯機能手段２４に伝えている。また、太陽光発電１および風力発電２で発生した電力を蓄電池３に蓄電し、その蓄電された電力をイルミネーションＬＥＤ６、防犯用ＬＥＤ７、スピーカ８および制御部１０にそれぞれ電源を供給する構成となっている。
【００４０】
実施例１では、表１に示すように前記スペックの中から、自己の欲するプランを選択する選択手段２１で選択してプランを、放電時間制限手段２２に接続し、それを演出機能手段２３と防犯機能手段２４に接続し、その演出機能手段２３からイルミネーション手段２５を介してイルミネーションＬＥＤ６に、そしてメロディー手段２６を介してスピーカ８に出力している。そして、防犯機能手段２４からフラッシュ照明手段２７を介して防犯用ＬＥＤ７に出力した構成となっている。
【００４１】
ここで、プランＡの１日の演出機能および防犯機能に用いる補償できる電源容量は、０．７８８ＡＨであるため、プランＡは表１に示すように、放電時間制限手段２２から伝達されたイルミネーション手段２５の電源容量の配分は０．４８ＡＨより、イルミネーションＬＥＤ６を全点灯すると３時間の時間制限となる。また、メロディー手段２６の電源容量の配分は０．２５ＡＨより、スピーカ８を１日５時間鳴らす時間制限となる。また、フラッシュ照明手段２７の電源容量の配分は０．０４ＡＨより、防犯用ＬＥＤ７は点滅時間３０秒で３０回数の回数制限がある。これらを合計するとプランＡの１日の演出機能および防犯機能に用いる電源容量は、０．７７ＡＨである。
【００４２】
ここで、屋外が暗くなったことを照度センサ４で検出して演出機能手段２３に伝えると、演出機能手段２３ではイルミネーション手段２５に対してイルミネーションＬＥＤ６の点滅時間を出力し、その点滅時間の範囲内でイルミネーションＬＥＤ６を点滅して光による演出をおこなう。また、メロディー手段２６にも音声出力時間を伝え、スピーカ８からメロディーを流す。
【００４３】
各手段は１日の時間管理を共通しておこなっている。
【００４４】
そのイルミネーション手段２５は、光の演出として２倍の演出モード・３倍の演出モード・４倍の演出モードを有している。
【００４５】
そして２倍の演出モードは、２４個のイルミネーションＬＥＤ６をａ群（１２個）とｂ群（１２個）に分け、イルミネーションＬＥＤ６を交互またはランダムに配列し、ａ群が点灯しているときに、ｂ群は消灯し、ｂ群が点灯しているときに、ａ群は消灯するように制御する。このようにして、１日に６時間の景観およびモニュメントとしてのイルミネーションの演出効果をおこなう。
【００４６】
次に、３倍の演出モードは、２４個のＬＥＤをａ群（８個）とｂ群（８個）とＣ群（８個）に分け、ＬＥＤを交互またはランダムに配列し、ａ群が点灯しているときにｂ群とＣ群は消灯し、ｂ群が点灯しているときに、ａ群とＣ群は消灯し、Ｃ群が点灯しているときにａ群とｂ群は消灯しするように制御する。このようにして、１日に９時間の景観およびモニュメントとしてのイルニネーションの演出効果をおこなう。
【００４７】
以下４倍の演出モードも同様におこなうことができる。そして、１日に１２時間のイルミネーション演出効果をおこなう。
【００４８】
このように各演出モードに応じて、イルミネーションＬＥＤ６を点滅制御することにより全点灯時間に対して数倍の演出時間を確保する。つまり、２４個のイルミネーションＬＥＤ６を全点灯した場合には３時間しか使用できないが、イルミネーションＬＥＤ６を点滅制御することにより２倍、３倍、４倍の時間を演出することができる。それによりイルミネーションＬＥＤ６を全点灯すると３時間の時間制限の範囲は、２倍の演出モードで６時間、３倍の演出モードで９時間、４倍の演出モードで１２時間と、放電時間制限手段２２により点滅時間制限をかけている。ここで、その範囲を越えるとイルミネーション演出は使用できなくなる。
【００４９】
また、メロディー手段２６は、予め選曲されたメロディーを、５時間の範囲内でスピーカ８に出力する。メロディーを途中で止めると、それまで出力した時間を記憶しておく。そのため、再度メロディーの要求があると、その時間が加算されて、合計５時間を放電時間制限手段２２により使用時間の制限をかけている。
【００５０】
ここで、屋外が暗くなったことを照度センサ４で検出し、前記人感センサ５で侵入者を感知すると、前記防犯機能手段２４にそれらの信号が伝えられるため、フラッシュ照明手段２７に対して防犯用ＬＥＤ７の点滅時間を出力し、その点滅時間範囲内で侵入者に対して警告を発する。この警告は、３０秒の点滅を１日３０回の範囲でその回数を放電時間制限手段２２により制限を加えている。
【００５１】
以上からプランＡでは、放電時間設定手段２２において、１日に用いる補償できる電源容量０．７８８ＡＨの範囲内で演出機能および防犯機能の実現を図っている。
【００５２】
なお、地域および季節等によって、スペックは変動するものとする。
【００５３】
なお、放電深度も、蓄電池３のコスト等による性能の相違により変動するものとする。
【００５４】
（実施例２）
実施例２は、実施例１とは、演出機能手段２３のメロディー手段２６がなく、防犯機能手段２４に威嚇照明手段３１と警報手段３２を追加する点が相違し、実施例１で説明したものと同じ記号等は省略するものとする。図３は本発明の実施例２による同独立電源装置のプランＢのブロック図である。図３に示すように、防犯機能手段２４からは、フラッシュ照明手段２７につながり、そのフラッシュ照明手段２７から防犯用ＬＥＤ７が出力されて、フラッシュ照明手段２７から威嚇照明手段３１につながり、威嚇照明手段３１からは防犯用ＬＥＤ７が出力され、警報手段３２に接続され、スピーカ８に接続されている。
【００５５】
ここで、プランＢの１日の演出機能および防犯機能に用いる補償できる電源容量も、０．７８８ＡＨである。そこでプランＢは表１に示すように、時間制限手段２２から伝達されたイルミネーション手段２５の電源容量の配分は０．４８ＡＨより、イルミネーションＬＥＤ６を全点灯すると３時間の時間制限となる。また、フラッシュ照明手段２７の電源容量の配分は０．０４ＡＨより、防犯用ＬＥＤ７は点滅時間３０秒で３０回数の回数、威嚇照明に必要な電源容量は防犯用ＬＥＤ７の点滅時間３０秒で３０回数の回数制限の０．０８ＡＨ、警報に必要な電源容量が容量の配分は０．０３７５ＡＨでありスピーカ８からの出力は１日３０秒を３０回の警報回数制限となる。ゆえに、これらを合計するとプランＡの１日の演出機能および防犯機能に用いる電源容量は、０．６３７５ＡＨである。
【００５６】
ここで、ここで、屋外が暗くなったことを照度センサ４で検出し、前記人感センサ５で侵入者を感知すると、前記防犯機能手段２４にそれらの信号が伝えられるため、フラッシュ照明手段２７に対して防犯用ＬＥＤ７の点滅時間を出力し、その点滅時間範囲内で侵入者に対して警告を発する。この警告は、３０秒の点滅を１日３０回の範囲でその回数に制限を加えている。その後さらに、威嚇照明手段３１にて、防犯用ＬＥＤ７を３０秒間点灯して侵入者に侵入者検出を知らせ、侵入者に対して警告を発する。この警告は、３０秒の点灯を１日３０回の範囲でその回数に制限を加えている。そして、その後に警報手段３２にて、警報をスピーカ８から発して侵入者に更なる警告を発するものとする。このように、侵入者に対して、変化をつけた警告方法をおこない、侵入場所から立ち去ることを要求するものである。また、住宅に設置された場合は、照明や音によって侵入者の感知も同時に図ることができる。
【００５７】
以上からプランＢでも、時間設定手段において、１日に用いる補償できる電源容量０．７８８ＡＨの範囲内で演出機能および防犯機能の実現を図っている。
【００５８】
（実施例３）
実施例３は、実施例２に対して、撮影手段４１を加えたものであり、実施例２で説明したものと同じ記号等は省略する。図４は本発明の実施例３による同独立電源装置のプランＣのブロック図である。図４に示すように、威嚇照明手段３１と警報手段３２の間から撮影手段４１を挿入している。そして、撮影手段４１からはカメラ９に接続されている。
【００５９】
ここで、プランＢの１日の演出機能および防犯機能に用いる補償できる電源容量も、０．７８８ＡＨである。そこでプランＣは表１に示すように、プランＢに対してイルミネーションＬＥＤ６を点滅制御する２倍の演出モードで６時間、３倍の演出モードで９時間、４倍の演出モードで１２時間になっているのを、２倍の演出モードで３時間、３倍の演出モードで４．５時間、４倍の演出モードで６時間として、半分のイルミネーション演出効果のスペックにしていることから電源容量の配分は０．２４ＡＨとなる。それに、カメラ９の撮影を追加したため、電源容量の配分を０．４２ＡＨの撮影回数を１５回に制限したものである。また、警報音についても１５回に制限をおこなっている。そのため、プランＢの使用電源容量に対して０．４２ＡＨ加算するため、電源容量の合計は０．７８６５ＡＨとなる。
【００６０】
ここでの動作は実施例２に対して、侵入者を検知するとカメラ９にて撮影を警告し、それでも未だ侵入者を検知するようだと警報手段４１にて警報をスピーカ８から発して更なる警告を発し侵入者の侵入の防止を図っている。
【００６１】
以上からプランＣでも、時間設定手段において、１日に用いる補償できる電源容量０．７８８ＡＨの範囲内で演出機能および防犯機能の実現を図っている。
【００６２】
（実施例４）
実施例４は、実施例１に対して、演出機能手段に対して防犯機能手段を優先して運転するカウンタ手段を加えたものであり、実施例１で説明したものと同じ記号等は省略する。図５は本発明の実施例４による同独立電源装置のブロック図、図６は実施例４の防犯機能手段優先の作用を示すフローチャートである。図５に示すように、防犯機能手段２４の出力側に、その使用時間および使用回数を使い切ったか否かを判断するカウンタ手段５１を設け、その判断した結果を放電時間制限手段２２にカウンタ手段フィードバック５２して構成している。その動作について図６に基づいて説明をおこなう。前記カウンタ手段５１は、防犯機能手段２４より使用時間または使用回数（以下、使用カウントという）をあらかじめ設定し、前記防犯機能手段２４の出力される使用カウントを検知し、ステップ５３において、使用カウントを全て終了したか否かの判断をおこない、終了していない場合（ＮＯ）には、実施例１に基づく動作を繰り返す。しかし、カウンタ手段５１が、ステップ５３において、使用カウントを全て終了したか否かの判断をおこない、全て終了した場合（ＹＥＳ）は、次のステップ５４において、演出機能手段２３の使用カウントをゼロに設定する。さらに次のステップ５５で、防犯機能手段２４の使用カウントを再セットする。それにより、防犯機能手段２４の使用カウントを使い切ってしまった後においても、再び防犯機能手段２４の使用を可能とするものである。ここで、演出機能手段２３を停止してまで優先して運転することにしたのは、防犯対策重視の観点からであり、普段は演出機能手段２３がほとんど使用され、防犯機能手段２４が使われないケースが多く、防犯機能が働く状況になった時に、防犯機能手段２４を停止しても、それによって演出機能に対する不満につながることはほとんどないと判断されるためである。なお、演出機能手段２３の一部運転については、防犯機能手段２４を監視しながらおこなうこともあり得る。
【００６３】
また、防犯機能手段２４に切り替わったことを制御部１０から出力して防犯優先表示（図示せず）として、青色ＬＥＤを受信部７２の表面に取り付けて表示を行なうことにより、現在の独立電源装置１３の運転状況を知らせることができる。
【００６４】
（実施例５）
実施例５は、実施例１に対して、蓄電池の容量保護機能を加えたものであり、実施例１で説明したものと同じ記号等は省略する。実施例５について、図５および図７に基づいて説明をおこなう。図７は独立電源装置の異常表示およびアンサー表示を示す概略図である。図５、図７に示すように、蓄電池３の電圧を検出する電圧センサ６１を設け制御部１０に接続している。そして、制御部１０の出力側には赤色の異常ＬＥＤ６２を接続し、前記異常ＬＥＤ６２は独立電源装置１３の収納部１１の表面に配設している。
【００６５】
この構成において、前記電圧センサ６１で蓄電池３の容量を検出し、前記蓄電池３の容量限界値に近づき所定電圧値以下になった時に、演出機能手段２３および防犯機能手段２４を停止し、異常表示として赤色ＬＥＤを点滅する。これにより、使用者に知らせることができる。
【００６６】
（実施例６）
実施例６は、実施例１に対して、蓄電池の容量保護機能を加えたものであり、実施例１で説明したものと同じ記号等は省略する。実施例６について、図５および図７に基づいて説明をおこなう。図５、図７に示すように、制御部１０には、リモコン７１のからの信号を受ける受信部７２を設け、前記制御部１０からプランＡ・Ｂ・Ｃを選択する選択手段２１に制御部１０の出力側には黄色のアンサー表示ＬＥＤ７３を接続し、前記受信部７２および前記アンサー表示ＬＥＤ７３は、独立電源装置１３の収納部１１の表面に配設している。そして、使用者７４が選択したプランを選択するために、リモコン７１で独立電源装装置１３の収納部１１に設けた受信部７２に発信すると、前記受信部７２ではその信号を受けて、制御部１０に送信し、選択された信号を選択手段２１に伝達して実施例１の動作をおこなう。
【００６７】
ここで、使用者７４がプランＡを選択した場合は、前記リモコン７１のプランＡのボタン（図示せず）を押すと、受信部７２でその信号をキャッチし、制御部１０からプランＡのアンサーとして、黄色のアンサー表示ＬＥＤ７３を３秒間点滅してプランＡを選択したことを使用者７４に知らせる。
【００６８】
また、プランＢを選択した場合は、前記リモコン７１のプランＢのボタン（図示せず）を押すと、受信部７２でその信号をキャッチし、制御部１０からプランＢのアンサーとして、黄色のアンサー表示ＬＥＤ７３を３秒間点滅し、２秒間消灯した後、３秒間点滅してプランＢを選択したことを知らせる。
【００６９】
また、プランＣを選択した場合は、前記リモコン７１のプランＣのボタン（図示せず）を押すと、受信部７２でその信号をキャッチし、制御部１０からプランＣのアンサーとして、黄色のアンサー表示ＬＥＤ７３を３秒間点滅、２秒消灯、３秒間点滅、２秒間消灯、３秒間点滅をしてプランＣを選択したことを知らせる。
【００７０】
このように、使用者７４が、自己が選択したプランが自己の選択と一致しているかの確認をおこなえるように、選択プランに応じたアンサー信号を使用者７４に知らせることにより、安心した独立電源装装置１３の使用をおこなうことができるものである。
【産業上の利用可能性】
【００７１】
本発明は、施設周辺の演出と防犯用途だけでなく工場や不法投棄や港湾や河川にも適用できる。
【図面の簡単な説明】
【００７２】
【図１】本発明の独立電源装置の一例を示す取り付け構成図
【図２】同独立電源装置の実施例１によるプランＡのブロック図
【図３】本発明の実施例２による同独立電源装置のプランＢのブロック図
【図４】本発明の実施例３による同独立電源装置のプランＣのブロック図
【図５】本発明の実施例４による同独立電源装置のブロック図
【図６】本発明の実施例４の防犯機能手段優先の作用を示すフローチャート
【図７】本発明の独立電源装置の異常表示およびアンサー表示を示す概略図
【符号の説明】
【００７３】
１    太陽光発電
２    風力発電
３    蓄電池
４    照度センサ
５    人感センサ
６    イルミネーションＬＥＤ
７    防犯用ＬＥＤ
８    スピーカ
９    カメラ
１０  制御部
１１  収納部
１２  取付け具
１３  独立電源装置
２１  選択手段
２２  放電時間制限手段
２３  演出機能手段
２４  防犯機能手段
２５  イルミネーション手段
２６  メロディー手段
２７  フラッシュ照明手段
３１  威嚇照明手段
３２  警報手段
４１  撮影手段
５１  カウンタ手段
５２  カウンタ手段フィードバック
６１  電圧センサ
６２  異常ＬＥＤ
７１  リモコン
７２  受信部
７３  アンサー表示ＬＥＤ
【図１】
2005322207.tif 000004
【図２】
2005322207.tif 000005
【図３】
2005322207.tif 000006
【図４】
2005322207.tif 000007
【図５】
2005322207.tif 000008
【図６】
2005322207.tif 000009
【図７】
2005322207.tif 000010